(57)【特許請求の範囲】
【請求項１】
導電性を有する被接地板材Ｐにアース線Ｑを電気的接続するアース線取付金具であって、弾性を有する導電性材にて被接地板材Ｐの板体端部から差し込んで板面を挟着せしめる一対の挟着部１を一体形成し、該挟着部１のいずれか一方又は両方に、被接地板材Ｐの表面を傷付ける爪２を突設すると共に、該挟着部１の一方の開放端部にアース線Ｑを連結せしめる連結部３を屈曲形成し、
前記挟着部１の前記連結部３を形成していない開放端部に、該開放端部を拡開して前記被接地板材Ｐの端部を導入せしめる導入部４を屈曲形成すると共に、該導入部４の被接地板材Ｐがわに被接地板材Ｐの表面を傷付ける前記爪２を突設し、前記連結部３に差込タブ端子５を複数個形成し、前記アース線Ｑに差込形接続端子Ｑ１を設けたことを特徴とするアース線取付金具。
【発明の詳細な説明】
【技術分野】
【０００１】
本発明は、接地工事に用いる接地用ビニール絶縁電線等からなるアース線を取り付ける際に使用するアース線取付金具に係り、特に、狭い場所でも取付作業が容易なアース線取付金具に関するものである。
【背景技術】
【０００２】
従来、アース線を取り付ける手段として、例えば、導電性を有する被接地部材に取付孔を開穿し、ボルト及びナットを使用してアース線を固定する手段がある。
【０００３】
当出願人は先に、造営材や筋金物等の被接地部材への取付位置に孔明け加工が不要なアース線取付金具を提案している（特許文献１）。この取付金具は、角筒状の金具本体に造営材や筋金物を挟み込むための挟込口を設け、この挟込口に挟み込んだ造営材や筋金物を取付ボルトで固定し、この取付ボルトにアース線を連結する構造である。
【０００４】
一方、太陽電池アレイの接地工事のように狭いスペースでの接地工事には、アース線をタッピンネジで被接地部材に直接取り付けるか、若しくは、アース線の代わりとなる金属プレートをタッピンネジで直接取り付ける接地工事が行われている。
【先行技術文献】
【特許文献】
【０００５】
【特許文献１】実公平６−２２９３６号公報
【発明の概要】
【発明が解決しようとする課題】
【０００６】
太陽電池アレイの接地工事のように、作業スペースが限られている場所での接地工事には、従来の取付金具のように取付孔を開穿し、ボルト及びナットを使用してアース線を固定する作業は極めて困難な作業になる。
【０００７】
また、孔明け加工が不要な特許文献１の取付金具は、主な被接地部材として鉄骨等の造営材やトンネル内の筋金物にアース線を取り付ける際に使用するものである。そのため、この取付金具自体のサイズが大きく嵩張るものであるため、限られたスペースでの接地工事には使用することはできないものであった。
【０００８】
更に、太陽電池アレイの接地工事では、傾斜のある折板屋根の上に設置した太陽電池アレイの下面にもぐり込んで接地するなど、狭い接地スペースに加え、取り付け作業の環境も厳しい状態で行われている。そのため、アース線や金属プレートをタッピンネジで取り付ける際に、このタッピンねじを落としてしまうことも少なくない。しかも、近年の太陽電池アレイ用架台は、軽量化、簡素化が求められ、作業スペースが益々狭くなる傾向にあり、取付け作業の困難性も増している。
【０００９】
そこで、本発明は上述の課題を解消すべく創出されたもので、ボルトやナット、タッピンネジ等の連結部材やこれらに使用する工具等を一切使用することなく、狭いスペースでもワンタッチで接地工事を行えるアース線取付金具の提供を目的とするものである。
【課題を解決するための手段】
【００１０】
上述の目的を達成すべく本発明における第１の手段は、導電性を有する被接地板材Ｐにアース線Ｑを電気的接続するアース線取付金具であって、弾性を有する導電性材にて被接地板材Ｐの板体端部から差し込んで板面を挟着せしめる一対の挟着部１を一体形成し、該挟着部１のいずれか一方又は両方に、被接地板材Ｐの表面を傷付ける爪２を突設すると共に、該挟着部１の一方の開放端部にアース線Ｑを連結せしめる連結部３を屈曲形成し、前記挟着部１の前記連結部３を形成していない開放端部に、該開放端部を拡開して前記被接地板材Ｐの端部を導入せしめる導入部４を屈曲形成すると共に、該導入部４の被接地板材Ｐがわに被接地板材Ｐの表面を傷付ける前記爪２を突設し、前記連結部３に差込タブ端子５を複数個形成し、前記アース線Ｑに差込形接続端子Ｑ１を設けたことにある。
【発明の効果】
【００１３】
本発明の請求項１によると、被接地板材Ｐの端部から差し込んで板面を挟着せしめる一対の挟着部１を形成し、該挟着部１のいずれか一方又は両方に、被接地板材Ｐの表面を傷付ける爪２を突設すると共に、該挟着部１の一方の開放端部にアース線Ｑを連結せしめる連結部３を屈曲形成したことにより、狭いスペースでも挟着部１で被接地板材Ｐを挟みこむだけで簡単に接地工事が完了する。したがって、ボルトやナット、タッピンネジ等の連結部材やこれらに使用する工具等を一切使用することなく、ワンタッチで接地工事を行えるものである。
【００１４】
また、挟着部１の開放端部に、該開放端部を拡開して前記被接地板材Ｐの端部を導入せしめる導入部４を屈曲形成しているので、挟着部１の取付け作業が極めて容易になる。しかも、導入部４の被接地板材Ｐがわに被接地板材Ｐの表面を傷付ける前記爪２を突設しているので、被接地板材Ｐの板面に効果的に傷を付けることができる。
【００１５】
連結部３に差込タブ端子５を複数個形成したことで、差込形接続端子Ｑ１を備えたアース線Ｑの連結作業が簡単に行えるから、例えば太陽電池アレイの接地工事のごとく、狭いスペースでも簡単に接地工事を行えるものである。
【図面の簡単な説明】
【００１６】
【図１】本発明の一実施例を示す斜視図である。
【図２】本発明の使用状態を示す側面図である。
【図３】（イ）乃至（ニ）は本発明の連結片の他の実施例を示す斜視図である。
【図４】本発明を太陽電池アレイに使用する例を示す概略図である。
【図５】本発明を太陽電池アレイ設置工事に使用する例を示す概略図である。
【発明を実施するための形態】
【００１７】
本発明によると、ボルトやナット、タッピンネジ等の連結部材やこれらに使用する工具等を一切使用することなく、狭いスペースでもワンタッチで接地工事を行えるなどといった当初の目的を達成した。
【実施例】
【００１８】
以下、本発明の実施例を説明する。本発明取付金具は、接地用ビニール絶縁電線等からなるアース線を、導電性を有する被接地板材に電気的接続する際に使用するアース線取付金具を改良したものである。
【００１９】
本発明取付金具は、金属板等の弾性を有する導電性の板材等にて一体形成するもので、この板体を屈曲して一対の挟着部１を形成している（図１参照）。この挟着部１は、被接地板材Ｐの板体端部から強制的に差し込んで板面を挟着し、被接地板材Ｐにワンタッチで取付ける部材である。図示例の挟着１は、金属板を折り曲げて形成しているが、弾性を有する導電性材なら金属板に限らず、杆状、パイプ状などの部材を折り曲げて挟着部１を形成することも可能である。
【００２０】
この挟着部１を被接地板材Ｐ端部に差し込む際に、被接地板材Ｐの表面を傷付ける爪２を突設している。この爪２は、被接地板材Ｐの表面に錆や塗料等が付着していた場合に、これらの錆等を除去して電気的接続を確実にするものである。図示例の爪２は、一方の挟着部１の側縁部に切り込みを設け、この切り込み部分を屈曲して鋭角状の爪２を一対形成している（図１参照）。爪２の数や形状、設置位置等は図示例に限られるものではなく、両方の挟着部１に形成することも可能であり、後述するように導入部４に形成してもよい。
【００２１】
導入部４は、挟着部１の一方の開放端部に、該開放端部を拡開して前記被接地板材Ｐの端部を導入せしめるものである（図２参照）。実施例では、挟着部１の一方の開放端部から導入部４を延長して屈曲形成したもので、この導入部４の被接地板材Ｐがわの挟着部１端部に切り込みを設け、導入部４から被接地板材Ｐ方向に突出する爪２を設けている。そして、導入部４から被接地板材Ｐの端部に差し込んだときに、導入部４の爪２で被接地板材Ｐの表面に傷を付けるように構成している。
【００２２】
更に、挟着部１のもう一方の開放端部にアース線Ｑを連結せしめる連結部３を屈曲形成している。この連結部３にアース線Ｑを連結するものであるが、アース線Ｑと連結部３との連結作業は、被接地板材Ｐに挟着部１を装着する前後を問わない。
【００２３】
実施例では、連結部３に差込タブ端子５を複数個形成している。そして、差込形接続端子Ｑ１を設けたアース線Ｑを使用することで、被接地板材Ｐに挟着部１を装着した後でも簡単にアース線Ｑを連結することが可能になる。すなわち、太陽電池アレイの接地工事のような狭い場所において、挟着部１を被接地板材Ｐに装着した後でもアース線Ｑをワンタッチで連結することができるものである（図４参照）。また、図示していないが、予め連結部３にアース線Ｑを連結した状態で被接地板材Ｐに装着することも可能である。
【００２４】
図示の連結部３は、３個の差込タブ端子５を連設している。この差込タブ端子５は、例えば、太陽電池アレイを設置する工事のように、太陽電池を隙間なく設置するときに、一つの太陽電池に取付けた取付金具から周辺の残り３枚の太陽電池に電気的接続を図ることが可能になる（図５参照）。
【００２５】
また、差込タブ端子５の形状や数は任意に変更することが可能である。図３（イ）乃至（ニ）に示す差込タブ端子５は、差込タブ端子５の他の実施例を示している。すなわち、（イ）の如く同じ長さの差込タブ端子５を同一方向に屈曲した例や、（ロ）の如く差込タブ端子５の長さを変えた例、（ハ）の如く差込タブ端子５の向きを変えた例や、（ニ）の如く実施例とは逆方向に屈曲した例などである。尤も、差込タブ端子５を連結部３に設けるか否かの選択も任意であり、他の連結手段を連結部３に設けることも可能である。
【産業上の利用可能性】
【００２６】
本発明の実施例において、挟着部１、爪２、連結部３、導入部４の形状や構成、あるいは本発明を使用して連結するアース線Ｑの組合せは図示例に限定されるものではない。また、挟着部１で挟着する被接地板材Ｐは、被接地板材Ｐに限らず、他の被接地材に金属プレート等を取付け、この金属プレート等を挟着部１で挟着することも可能である。
【符号の説明】
【００２７】
Ｐ  被接地板材
Ｑ  アース線
Ｑ１  差込形接続端子
１  挟着部
２  爪
３  連結部
４  導入部
５  差込タブ端子
【図１】
0005158551.tif 000002
【図２】
0005158551.tif 000003
【図３】
0005158551.tif 000004
【図４】
0005158551.tif 000005
【図５】
0005158551.tif 000006